(57)【特許請求の範囲】
【請求項１】
イヤホンを収容し、その外縁に浅い溝ならびに１対の線留を有して、前記した１対の線留が互いに対称かつ前記した浅い溝の両端に形成されるとともに、１対の凹溝が前記した１対の線留近くに形成されるイヤホンハウジングと、
前記イヤホンハウジングに回動可能に連接されるマイクロホンと、
その一端を前記イヤホンに接続するとともに、前記イヤホンハウジング外縁の中央部分から線出しする信号線と、
前記信号線の他端に接続されるプラグと、
前記イヤホンハウジング上の前記した１対の凹溝にそれぞれ回転可能に接続される１対の調整手段と、
それぞれ前記した１対の調整手段に移動可能に連接され、おのおのが前記調整手段に沿って移動して、使用者の耳輪に対する位置調整を行う第１耳フックおよび第２耳フックと
を具備するものである２耳フックを備えたイヤホンマイクロホン。
【請求項２】
イヤホンを収容し、その外縁に浅い溝ならびに１対の線留を有して、前記した１対の線留が互いに対称かつ前記した浅い溝の両端に形成されるとともに、１対の凹溝が前記した１対の線留近くに形成されるイヤホンハウジングと、
その一端を前記イヤホンに接続するとともに、前記イヤホンハウジング外縁の中央部分から線出しする信号線と、
前記信号線の他端に接続されるプラグと、
前記イヤホンハウジング上の前記した１対の凹溝にそれぞれ回転可能に接続される１対の調整手段と、
それぞれ前記した１対の調整手段に移動可能に連接され、おのおのが前記調整手段に沿って移動して、使用者の耳輪に対する位置調整を行う第１耳フックおよび第２耳フックと
を具備するものである２耳フックを備えたイヤホンマイクロホン。
【請求項３】
上記した第１耳フックおよび第２耳フックが、軟質材料により成形されるものである請求項１または２記載の２耳フックを備えたイヤホンマイクロホン。
【請求項４】
上記した１対の調整手段が、柱状である請求項１または２記載の２耳フックを備えたイヤホンマイクロホン。
【請求項５】
上記２耳フックを備えたイヤホンマイクロホンが、さらに、上記した１対の調整手段と上記した第１耳フックおよび第２耳フックとを移動可能に接続した部分に１対のストッパーをそれぞれ設けて、前記した第１耳フックおよび第２耳フックが脱落することを防止する請求項１または２記載の２耳フックを備えたイヤホンマイクロホン。
【発明の詳細な説明】
【０００１】
【発明の属する技術分野】
この発明は、イヤホン構造に関し、特に、使用者の耳輪の大きさに合せて調整可能な２耳フックを備えたイヤホンマイクロホンに関する。
【０００２】
【従来の技術】
パーソナル・オーディオシステムは、幅広い層から支持されているものであり、使用者が他の活動を行いながら、同時に放送番組、カセットテープ、コンパクトディスク等を楽しむことができるものである。このパーソナル・オーディオシステムは、２つまたは１つのイヤホンを備えて、使用者の外耳孔に差し込むことで、使用者だけがパーソナル・オーディオシステムにより提供されるサウンドを楽しむことができ、他人に迷惑をかけることが少ないものである。また、イヤホンの使用により、空中を伝わるサウンドが時として不明瞭なものとなったりするのとは違って、よりクリアーなサウンドを楽しむことができるものであり、とりわけ、スポーツや激しい活動や喧騒たる雰囲気においても、あまり影響を受けることがないものである。さらに、イヤホンを通信システム、例えば、教学装置、電話・無線装置に使用する場合、イヤホンにマイクロホンを付加して、使用者の唇付近に配備することで、ハンドフリー機能を持たせたものもある。
【０００３】
図１と図２とにおいて、従来技術にかかる耳フックを備えたイヤホンマイクロホン１００を示すと、そのイヤホンマイクロホン１００は、イヤホン本体１０２と、耳フック１０４と、マイクロホン１０６と、信号線１０８と、プラグ１１０とから構成されていた。耳フック１０４は、イヤホン本体１０２の凹溝１０２ａ，１０２ｂに対して回動可能（位置Ａ，Ａの矢印方向）に連接されていた。耳フック１０４の外観は、ほぼ三角形の形状をなすとともに、形状を保持するために硬質材料により成形されていた。また、耳フック１０４の外形は、使用者の耳輪（いずれも図示せず）に嵌め込むためのものであった。イヤホン本体１０２上にマイクロホン１０６が回動可能に配置されており、図１を見ると分かりやすいように、その回動範囲はＺを中心として上下にそれぞれ角度φとなっており、これによりマイクロホン１０６を適切な位置の調整することができ、かつ左右どちらの耳輪でも使用できるようになっていた。信号線１０８は、イヤホン本体１０２の位置Ｂから線出しされていた。
【０００４】
【発明が解決しようとする課題】
以上をまとめてみれば、従来技術にかかる耳フックを備えたイヤホンマイクロホン１００は、耳フック１０４に硬質材料を採用して使用者の耳輪に嵌め込むため、使用者にとっては快適感を欠くものとなっていた。また、従来の耳フック１０４は、単一の三角形となっていたので、使用者の耳輪の大きさに合せて調整することができなかった。例えば、使用者の耳輪が大きい場合、耳フック１０４に無理やりはめこむことになり、使用者の耳輪が小さい場合、耳フック１０４が耳輪に充分に固定できないので、イヤホンが脱落しやすいものとなっていた。さらに、その信号線１０８がイヤホン本体１０２の位置Ｂから線出しされていたため、信号線１０８が不用意に引っ張れた時には、イヤホン本体１０２が回転運動を起こして耳フック１０４が耳輪から容易に脱落するものとなっていたので、イヤホンマイクロホン１００を使用者の耳輪に安定して装着できないという不都合があった。
【０００５】
この発明の第１の目的は、その２耳フックにより人により大きさの違う耳輪に合せて調整できる構造としたことにある。この発明の第２の目的は、その２耳フックを軟質材料で成形することにより、装着した使用者が快適に使用できるようにすることにある。この発明の第３の目的は、その信号線の結合方式を不用意な引張りまたは接触によってもイヤホンが耳輪から脱落しないようにすることにある。
【０００６】
【課題を解決するための手段】
そこで、上記した課題を解決し、所望の目的を達成するために、この発明にかかる２耳フックを備えたイヤホンマイクロホンにおいて、イヤホンを収容し、その外縁に浅い溝ならびに１対の線留を有して、１対の線留が互いに対称かつ浅い溝の両端に形成されるとともに、１対の凹溝が１対の線留近くに形成されるイヤホンハウジングと、イヤホンハウジングに回転可能に連接されるマイクロホンと、その一端をイヤホンに接続するとともに、イヤホンハウジング外縁の中央部分から線出しする信号線と、信号線の他端に接続されるプラグと、イヤホンハウジング上の１対の凹溝にそれぞれ回転可能に接続される１対の調整手段と、それぞれ１対の調整手段に移動可能に連接され、おのおのが調整手段に沿って移動して、使用者の耳輪に対する位置調整を行う第１耳フックおよび第２耳フックとを具備するものである。
【０００７】
この発明にかかる２耳フックを備えたイヤホンマイクロホンは、２耳フックが柱状調整手段に沿って上下移動することで、使用者の耳輪の大きさに合せて調整することができる。また、２耳フックがイヤホンハウジングの側方に設けた柱状調整手段を中心軸として回転することにより、左右いずれの耳輪にも装着することができる。さらに、信号線をイヤホンハウジングの浅い溝に嵌め込むとともに、線留で固定することによって、信号線が引っ張れた時に耳フックが受ける力を耳輪の上縁で受け止めるので、イヤホンが耳輪から脱落することを防止することができる。そして、２耳フックを軟質材料により成形することで、使用者に快適感を与えることができる。なお、イヤホンを外耳道に挿入するのではなく、２耳フックによりイヤホンを外耳道に密着させるので、快適な装着感が得られる。
【０００８】
【発明の実施の形態】
以下、この発明にかかる好適な実施の形態を図面に基づいて説明する。
図３と図４とにおいて、２耳フックを備えたイヤホンマイクロホン２００は、少なくともイヤホンハウジング（ｅａｒｐｈｏｎｅ  ｈｏｕｓｉｎｇ）２１０と、１対の耳フック２２０ａ，２２０ｂと、１対の柱状調整手段２３０ａ，２３０ｂと、信号線２４０と、プラグ２４２とから構成されるものである。イヤホンハウジング２１０は、イヤホン（図示せず）を収納するためのものである。イヤホンハウジング２１０の外縁には、浅い溝２１４が設けてあり、１対の線留２１６ａ，２１６ｂを有している。１対の線留２１６ａ，２１６ｂは、イヤホンハウジング２１０上に対称となるように浅い溝２１４の両端部位に配置されている。１対の凹溝２１２ａ，２１２ｂが線留２１６ａ，２１６ｂの近くに形成されている。マイクロホン２５０が、図４を見ると分かりやすいように、回動可能にイヤホンハウジング２１０に連接されており、その回動範囲は、Ｚ軸を中心にして上下へそれぞれ角度φとなっていて、マイクロホン２５０を適当な位置に調整できるとともに、左右いずれの耳輪（図示せず）にも適合できるように構成している。信号線２４０は、その一端をイヤホン（図示せず）に接続するとともに、イヤホンハウジング２１０外縁のほぼ中央から線出ししている（図６を参照）。プラグ２４２は、信号線２４０の他端に接続され、各種さまざまな電子通信手段、例えば、携帯電話、トランシーバー、マルチメディア・コンピューター設備などに接続することができる。柱状調整手段２３０ａ，２３０ｂは、それぞれイヤホンハウジング２１０上の１対の凹溝２１２ａ，２１２ｂに回転可能に連接されており、円柱状部材とすることができる。２耳フック２２０ａ，２２０ｂは、互いに独立した部材であり、２耳フック２２０ａ，２２０ｂの各一端に１対の柱状調整手段２３０ａ，２３０ｂを嵌め込んで、おのおのが１対の柱状調整手段２３０ａ，２３０ｂに沿って移動可能となっており、各耳フック２２０ａ，２２０ｂと使用者の耳輪（図示せず）との相対位置を調整できるように構成されている（図５の矢印を参照）。
【０００９】
２耳フック２２０ａ，２２０ｂは、軟質材料で成形されているので、使用者の耳輪に接触する時に不快感を与えることがない。また、２耳フック２２０ａ，２２０ｂの形状およびサイズを同一のものとし、その機能も同一である。イヤホンハウジング２１０およびマイクロホン２５０は、さらに１対のストッパー２３２ａ，２３２ｂを備えて、それぞれ１対の柱状調整手段２３０ａ，２３０ｂを２耳フック２２０ａ，２２０ｂが嵌め込んでいる外側に配置して、２耳フック２２０ａ，２２０ｂの脱落を防止している。
【００１０】
２耳フック２２０ａ，２２０ｂは、１対の柱状調整手段２３０ａ，２３０ｂに沿って移動可能なので（図５を参照）、異なる耳輪の大きさに合せて調整することができ、さまざまな使用者に適合させることができる。また、２耳フック２２０ａ，２２０ｂは、１対の柱状調整手段２３０ａ，２３０ｂを中心軸として回転可能となっており、イヤホンマイクロホン２００を左右いずれの耳輪にも装着することができる。例えば、左耳に装着する時、耳フック２２０ａを左耳の上縁に掛けるとともに、上側の耳フック２２０ａおよび下側の耳フック２２０ｂの位置を調整して、左耳の外縁を挟み込むことができる。右耳に装着したい時には、２耳フック２２０ａ，２２０ｂを柱状調整手段２３０ａ，２３０ｂを中心として１８０度回転させてから、耳フック２２０ａを右耳の上縁に掛けるとともに、上側の耳フック２２０ａおよび下側の耳フック２２０ｂの位置を調整して、右耳の外縁をぴったりと合わせることができる。そして、マイクロホン２５０の方向を調整して、右耳での使用に合わせることができる。同時に、１対の柱状調整手段２３０ａ，２３０ｂがイヤホンハウジング２１０の側端に配置されていることから、２耳フック２２０ａ，２２０ｂを回転させて左右いずれの耳輪を使用する時にでも何らの支障もない。
【００１１】
図５において、耳フック２２０ａは、先端２２２ａを有しており（図示していないが、耳フック２２０ｂは、先端２２２ｂを有しており）、末端部分に柱状調整手段２３０ａを嵌め込む構成によって、耳フック２２０ａを柱状調整手段２３０ａに沿って矢印方向へスライドさせ、使用者により大きさの異なる耳輪にぴったりとフィットさせることで、脱落を防止することができる。また、このようにイヤホンを外耳道に挿入するのではなく、外耳道に密着させる構成によって、より快適な装着感を実現することができる。
【００１２】
図６と図７とにおいて、イヤホンハウジング２１０上の浅い溝２１４と信号線２４０との結合方式を説明する。図６は、イヤホンハウジング２１０と信号線２４０とが特別な結合を行っていない状態を示しており、信号線２４０がイヤホンハウジング２１０の中央位置Ｂから線出しされたままとなっている。図７では、信号線２４０をイヤホンハウジング２１０上の浅い溝２１４（下側）に嵌め込んだ状態を示しており、浅い溝２１４の幅を信号線２４０の太さにほぼ一致させているので、信号線２４０を容易に固定することができる。次に、信号線２４０をイヤホンハウジング２１０上の柱状調整手段２３０ｂ近くに配置された線留２１６ｂに引っ掛けて固定すると、信号線２４０が引っ張れた時に、イヤホンハウジング２１０が耳輪から脱落することを防止することができる。
【００１３】
図８において、信号線２４０がイヤホンハウジング２１０の中央位置Ｂから線出しされている（マイクロホン２５０の図示を省略している）が、イヤホンハウジング２１０上の浅い溝２１４（下側）に嵌め込まれるとともに、線留２１６ｂにより固定されている。このような状態で、信号線２４０が引っ張られると、信号線２４０が線留２１６ｂにより固定されているので、引張り作用力の方向Ｆが点線Ｚの方向に沿って発生する。同時に、上側の耳フック２２０ａおよび下側の耳フック２２０ｂが引張り作用力を受ける方向もまた方向Ｆ、つまり点線Ｚの方向に沿うものとなる。上側の耳フック２２０ａが引張り作用力を受ける方向Ｆは点線Ｚの方向に沿うものであるから、耳フック２２０ａの内縁２２４が使用者の耳輪上縁で支えられる。従って、イヤホンマイクロホン２００は、信号線２４０が不用意に引っ張られたとしても使用者の耳輪から脱落することはない。また、上側の耳フック２２０ａが耳輪を圧迫することがあっても、耳フック２２０ａが軟質材料で成形されているので、不快感を発生させることはないから、従来技術の課題を解決することができる。
【００１４】
図９と図１０とにおいて、マイクロホンを設けない２耳フックを備えたイヤホン２００´を示しているが、図３と図４とに示した２耳フックを備えたイヤホンマイクロホン２００とは、イヤホンハウジング２１０上にマイクロホン２５０を設けない点だけが異なっているので、改めて説明しない。
【００１５】
以上のごとく、この発明を好適な実施の形態により開示したが、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【００１６】
【発明の効果】
上記構成により、この発明にかかる２耳フックを備えたイヤホンマイクロホンは、２耳フックが柱状調整手段に沿って上下移動することで、使用者の耳輪の大きさに合せて調整することができる。また、２耳フックがイヤホンハウジングの側方に設けた柱状調整手段を中心軸として回転することにより、左右いずれの耳輪にも装着することができる。さらに、信号線をイヤホンハウジングの浅い溝に嵌め込むとともに、線留で固定することによって、信号線が引っ張れた時に耳フックが受ける力を耳輪の上縁で受け止めるので、イヤホンが耳輪から脱落することを防止することができる。そして、２耳フックを軟質材料により成形することで、使用者に快適感を与えることができる。なお、イヤホンを外耳道に挿入するのではなく、２耳フックによりイヤホンを外耳道に密着させるので、快適な装着感が得られる。
【図面の簡単な説明】
【図１】図１は、従来技術にかかる耳フックを備えたイヤホンマイクロホン構造を示す左側面図である。
【図２】図２は、従来技術にかかる耳フックを備えたイヤホンマイクロホン構造を示す右側面図である。
【図３】図３は、この発明にかかる２耳フックを備えたイヤホンマイクロホン構造を示す右側面図である。
【図４】図４は、この発明にかかる２耳フックを備えたイヤホンマイクロホン構造を示す左側面図である。
【図５】図５は、この発明にかかる耳フックとイヤホンハウジングとの接合関係を示す要部斜視図である。
【図６】図６は、この発明にかかる信号線の配置前の状態を示す要部左側面図である。
【図７】図７は、同じく信号線の配置後の状態を示す要部左側面図である。
【図８】図８は、信号線が引っ張られた時の耳フックが受ける作用力を説明する左側面図である。
【図９】図９は、この発明の２耳フックを備えたイヤホン構造を示す左側面図である。
【図１０】図１０は、この発明の２耳フックを備えたイヤホン構造を示す右側面図である。
【符号の説明】
２００    イヤホンマイクロホン
２００´  イヤホン
２１０    イヤホンハウジング
２１２ａ  凹溝
２１２ｂ  凹溝
２１４    浅い溝
２１６ａ  線留
２１６ｂ  線留
２２０ａ  耳フック
２２０ｂ  耳フック
２３０ａ  柱状調整手段
２３０ｂ  柱状調整手段
２３２ａ  ストッパー
２３２ｂ  ストッパー
２４０    信号線
２４２    プラグ
２５０    マイクロホン
【図１】
0003599596.tif 000002
【図２】
0003599596.tif 000003
【図３】
0003599596.tif 000004
【図４】
0003599596.tif 000005
【図５】
0003599596.tif 000006
【図６】
0003599596.tif 000007
【図７】
0003599596.tif 000008
【図８】
0003599596.tif 000009
【図９】
0003599596.tif 000010
【図１０】
0003599596.tif 000011